(57)【要約】【課題】  自然光に近い偏りのない分光分布曲線の出射光が得られる室内照明灯を提供し、演色性の向上を図る。【解決手段】  車両の内装材２３に設けられた開口２５に取付可能なハウジング２７にレンズ２９が固定された意匠部３１と、意匠部３１に支持されることにより内装材２３の裏面側に配置され、かつ、光源３３を備える機能部３５とを具備し、光源３３からの発光光をレンズ２９の出射面２９ａから出射させる室内照明灯２１であって、発光光が光源３３のフィラメントによって発光され、光源３３と出射面２９ａとの間に、出射面２９ａに沿って延在し発光光を通過させることで発光光の赤色成分を減少させる自己発光領域４７が設けられている。【選択図】図１
2005247144.tif 000002
【特許請求の範囲】
【請求項１】
車両の内装材に設けられた開口に取付可能なハウジングにレンズが固定された意匠部と、
該意匠部に支持されることにより前記内装材の裏面側に配置され、かつ、光源を備える機能部とを具備し、
前記光源からの発光光を前記レンズの出射面から出射させる室内照明灯であって、
前記発光光が前記光源のフィラメントによって発光され、
前記光源と前記出射面との間に、前記出射面に沿って延在し前記発光光を通過させることで該発光光の赤色成分を減少させる自己発光領域が設けられたことを特徴とする室内照明灯。
【請求項２】
前記自己発光領域に、青色光が導入されていることを特徴とする請求項１記載の室内照明灯。
【請求項３】
前記自己発光領域が、前記出射面に沿って延在する導光板であることを特徴とする請求項１又は請求項２記載の室内照明灯。
【請求項４】
前記導光板が、前記レンズであることを特徴とする請求項３記載の室内照明灯。
【発明の詳細な説明】
【技術分野】
【０００１】
本発明は、室内照明灯に関し、さらに詳しくは、出射光の演色性を向上させる改良技術に関する。
【背景技術】
【０００２】
車両には、逆光を遮るためのサンバイザが設けられているのが普通である。図６に示すように、このようなサンバイザ１の中には、バックミラーとは別に小型の化粧用ミラー（バニティミラー３）が設けられている場合がある。
【０００３】
このようにサンバイザ１にバニティミラー３が設けられている場合、夜間でもバニティミラー３を使用できるようにするため、図７に示すように、天井のフロントガラス寄りに室内照明灯５が設けられている場合がある。この室内照明灯５は、天井のほぼ中央に設けられているドームランプとは別個に設けられ、光源にフィラメントを採用したバルブ（電球）の用いられることが多い。
【０００４】
また、この室内照明灯５は、図８に示すように、サンバイザ１を天井側に折りたたんだときに、サンバイザ１によって隠される位置に設けられている。この室内照明灯５は、バニティミラー３を使用するときだけに用いるので、ドームミラーに比べて非常に小型である。
【０００５】
さらに、サンバイザ１のバニティミラー３には、スライドさせて開閉する図９に示すカバー７が設けられている場合がある。また、カバー７を開けたときに室内照明灯５が点灯するように構成されている場合がある。
【０００６】
また、近年では、図１０に示すように、バニティミラー３の近傍に室内照明灯５を付設し、カバー９を設けたサンバイザ１１も普及しており、特に、付加価値を高めた高級車種や、構造上ルームランプの設けられないコンバーティブルタイプの乗用車などに多用される傾向にある。
【０００７】
【特許文献１】特開２００２−６７７８９号公報
【特許文献２】特開２００２−２１８６３５号公報
【特許文献３】特開２００２−３４５１４３号公報
【特許文献４】特開平８−１３２８７３号公報
【発明の開示】
【発明が解決しようとする課題】
【０００８】
しかしながら、光源にフィラメントを採用した室内照明灯からの出射光は、可視光波長領域で波長ごとの成分に偏りの生じることが多い。
図１１は自然光（太陽光）の分光分布図、図１２はフィラメント光源からの出射光の分光分布図である。これらの分光分布図は光を波長成分に分け、波長ごとにその成分の量を並べたときの曲線で分光波長成分の分布を表している。図１２からも分るように、フィラメント光源からの出射光は、図１１に示した自然光に比べ、短波長領域の成分が少ない一方、長波長領域の成分が多く、光エネルギーが一様に含まれている自然光よりも物の見え方が不自然となる（すなわち、演色性の劣る）問題があった。したがって、室内照明灯を点灯すると、物が赤みを帯びて見え、特に青色の物が自然に見え難くなった。この結果、例えば、化粧が自然光下の場合と同様に行えない等の弊害が生じた。
本発明は上記状況に鑑みてなされたもので、自然光に近い偏りのない分光分布曲線の出射光が得られる室内照明灯を提供し、もって、演色性の向上を図ることを目的とする。
【課題を解決するための手段】
【０００９】
１）上記目的を達成するための室内照明灯は、車両の内装材に設けられた開口に取付可能なハウジングにレンズが固定された意匠部と、該意匠部に支持されることにより前記内装材の裏面側に配置され、かつ、光源を備える機能部とを具備し、前記光源からの発光光を前記レンズの出射面から出射させる室内照明灯であって、前記発光光が前記光源のフィラメントによって発光され、前記光源と前記出射面との間に、前記出射面に沿って延在し前記発光光を通過させることで該発光光の赤色成分を減少させる自己発光領域が設けられたことを特徴とする。
【００１０】
この室内照明灯では、フィラメントからの赤みを帯びた発光光が自己発光領域を通過すると、赤色成分の減少した光へ変換される。すなわち、フィラメントからの発光光と、自己発光領域に導入される導入光とが光混合（例えば、和周波混合等）されることによって、最終的にレンズから出射される光が、分光分布曲線で偏りのない出射光に色補正される。
【００１１】
２）また、本発明の室内照明灯は、前記自己発光領域に、青色光が導入されていることを特徴とする。
【００１２】
この室内照明灯では、赤みを帯びたフィラメントからの発光光と、この発光光と補色関係にある青色光が自己発光領域へ導入されることで、最終的にレンズから出射される光が、分光波長成分の一様に含まれた自然光に近い光となる。これにより、自然光下と同様の演色性がえられるようになる。
【００１３】
３）また、本発明の室内照明灯は、前記自己発光領域が、前記出射面に沿って延在する導光板であることを特徴とする。
【００１４】
この室内照明灯では、自己発光領域が導光板となることで、導光板の端面から導入された青色光が、導光板表裏面で反射を繰り返して延在方向へ伝搬し、この導光板の光源対向面から導入された発光光が、導光板内を伝搬する青色光と光混合することによって、自然光に近い光に色補正されて、レンズへ向けて出射される。
【００１５】
４）また、本発明の室内照明灯は、前記導光板が、前記レンズであることを特徴とする。
【００１６】
この室内照明灯では、レンズが導光板と同様に作用し、導光板を増設せずに、発光光の色補正が可能となり、発光光が増設の導光板を透過することにより生じる光吸収がなくなり、発光光に強度低下が生じなくなる。
【発明の効果】
【００１７】
本発明に係る室内照明灯によれば、光源と出射面との間に、出射面に沿って延在し発光光を通過させることで発光光の赤色成分を減少させる自己発光領域が設けられているので、フィラメントからの赤みを帯びた発光光が自己発光領域を通過すると、発光光が赤色成分の減少した光へ変換され、物が赤みを帯びて見える不自然な見え方が改善される。この結果、演色性が向上して、自然光下と同様の色表現が可能となり、例えば、室内照明灯での化粧が自然に行えるようになる。
【発明を実施するための最良の形態】
【００１８】
以下、本発明に係る室内照明灯の好適な実施形態を図面を参照して説明する。
図１は本発明に係る室内照明灯の第１実施形態を表す断面図、図２は図１に示した室内照明灯の要部拡大図である。
本発明に係る実施形態の室内照明灯２１は、車両の天井トリム（内装材）２３に設けられた開口２５に取付可能なハウジング２７にレンズ２９が固定された意匠部３１と、この意匠部３１に支持されることにより天井トリム２３の裏面２３ａ側に配置され、かつ、光源であるバルブ（電球）３３を備える機能部３５とを有している。
また、意匠部３１のハウジング２７には、クリップ３７が設けられている。機能部本体３９には、フラット電線４１を接続する圧接刃（図示せず）が設けられている。
【００１９】
この室内照明灯２１は、車両の天井トリム２３に取り付けられ、一方の側端部を中心として回転することにより開閉自在な図８に示したサンバイザ１によって隠れる位置に配置される。室内照明灯２１を点灯する場合は、サンバイザ１をフロントガラス側に開く。
次に、サンバイザ１の天井トリム２３側の面に設けられた図９に示したカバー７を開く。そうすると、サンバイザ１に設けられている図６に示すバニティミラー３が露出される。これと同時に、室内照明灯２１が点灯され、バニティミラー３に映る画面を明瞭に見ることができるようになっている。
【００２０】
ところで、バルブ３３は、図２に示すように、フィラメント４３と、このフィラメント４３を覆いフィラメント４３からの光Ｌ１を透過させる保護部材４５とからなる。保護部材４５は、光Ｌ１に対して無色透明の材質からなる。図１２に示したフィラメント４３の発光により得られる所定の色度は、図１１に示した自然光に比べ、短波長領域の成分が少ない一方、長波長領域の成分が多く、光エネルギーが一様に含まれている自然光よりも物の見え方が不自然となる（すなわち、演色性の劣る。具体的には、物が赤みを帯びて見え、特に青色の物が自然に見え難くなる）。
【００２１】
図３はフィラメント光の色度を表す色度図である。
色は、色相、彩度、明度の３要素によって定めることができる。ここで、色相は、色と同じ色感を起こすスペクトル単色光の波長で表される。彩度は、白・灰・黒色の混ざっている度合いで表される。明度は、眼に感じる光の強弱を示す量で表される。そして、色度は、明度を除いた光の色（すなわち、色相と彩度）の種別を数量的に規定したものとなっている。図３において、ｘはＲの割合を、ｙはＧの割合を示す。図には示していないが、ｚをＢの割合としたとき、常にｘ＋ｙ＋ｚ＝１の関係があるとしている。
【００２２】
図３において、ＷはＲ、Ｇ、Ｂの成分比が１：１；１である白色の色度の点を示し、この場合、座標は略ｘ＝０．３３、ｙ＝０．３３、（ｚ＝０．３３）となる。図に示すＷに近い領域ｆ０は実用上白色とみなされる領域となる。また、領域ｆ０から左側に外れた領域ｆ１は青又はＣ（シアン）系の中間色であり、右側に外れた領域ｆ２は赤又はＹ（イエロー）系の中間色であり、上側に外れた領域ｆ３は緑系の中間色であり、下側に外れたｆ４はＭ（マゼンタ）系の中間色となる。フィラメント４３の色度は、赤又はＹ（イエロー）系の中間色である領域ｆ２の範囲に分布する。
【００２３】
本実施形態では、バルブ３３からの発光光Ｌ１がレンズ２９の出射面２９ａから出射される。バルブ３３と出射面２９ａとの間には自己発光領域４７が設けられている。自己発光領域４７は、バルブ３３からレンズ２９へ向けて出射する光Ｌ１に交差する方向から光束Ｌｍを出射させる光源（例えばＬＥＤ４９）によって形成される。つまり、自己発光領域４７は、バルブ３３と出射面２９ａとの間で伝搬する光束Ｌｍの領域となっている。
【００２４】
したがって、フィラメント４３からの赤みを帯びた光Ｌ１が自己発光領域４７を通過すると、赤色成分の減少した光へ変換される。
すなわち、フィラメント４３からの発光光Ｌ１と、自己発光領域４７に導入される導入光（光束Ｌｍ）とが光混合されることによって、発光光Ｌ１の赤色成分を減少させ、最終的にレンズ２９の出射面２９ａから出射される光Ｌ１が、分光分布曲線で偏りのない出射光に色補正されるようになっている。つまり、自己発光領域４７が、波長変換手段として作用することになる。光混合の作用としては、例えば非線形光学媒質に角周波数ω１，ω２，・・・の複数の光が同時に入射したときに、角周波数ωｍ＝ω１±ω２±・・・の光を発生させる光混合等が挙げられる。
【００２５】
このようにして、赤みを帯びたフィラメント４３からの発光光Ｌ１と、この発光光Ｌ１と補色関係にある青色光Ｌｂが自己発光領域４７へ導入されることで、最終的にレンズ２９の出射面２９ａから出射される光Ｌが、分光波長成分の一様に含まれた自然光に近い光となる。
【００２６】
したがって、上記の室内照明灯２１によれば、バルブ３３と出射面２９ａとの間に、出射面２９ａに沿って延在し発光光Ｌ１を通過させることで発光光Ｌ１の赤色成分を減少させる自己発光領域４７が設けられているので、フィラメント４３からの赤みを帯びた発光光Ｌ１が自己発光領域４７を通過すると、赤色成分の減少した光Ｌへ変換され、物が赤みを帯びて見える不自然な見え方を改善することができる。
この結果、演色性が向上して、自然光下と同様の色表現が可能となり、例えば、室内照明灯２１での化粧が自然に行えるようになる。
【００２７】
次に、本発明に係る室内照明灯の第２実施形態を説明する。
図４は本発明に係る室内照明灯の第２実施形態を表す要部拡大図である。
この実施形態による室内照明灯は、自己発光領域４７が、出射面２９ａに沿って延在する導光板５１によって構成されている。導光板５１の端面からはＬＥＤ４９によって青色光Ｌｂが導入されるようになっている。
したがって、この室内照明灯によれば、自己発光領域４７が導光板５１となることで、導光板５１の端面から導入された青色光Ｌｂが、導光板表裏面で反射を繰り返して延在方向へ伝搬される。そして、この導光板５１の光源対向面から導入された発光光Ｌ１が、導光板５１内を伝搬する青色光Ｌｂと光混合することで、自然光に近い光Ｌに色補正されて、レンズ２９へ向けて出射される。また、このような導光板５１を用い、導光板５１の他端面からの青色光Ｌｂの出射を防止する遮光手段を設けることで、ハウジング外部への青色光Ｌｂの洩れを容易に防止することができる。
【００２８】
次に、本発明に係る室内照明灯の第３実施形態を説明する。
図５は本発明に係る室内照明灯の第３実施形態を表す要部拡大図である。
この実施の形態による室内照明灯は、レンズ６１が上記した導光板５１と同様の機能を有している。つまり、レンズ６１は、導光板と兼用されている。
この室内照明灯によれば、レンズ６１が導光板と同様に作用し、導光板を増設せずに、発光光Ｌ１の色補正が可能となる。これにより、物が赤みを帯びて見える不自然な見え方を改善することができるとともに、発光光Ｌ１が増設の導光板を透過することにより生じる光吸収がなくなり、発光光Ｌ１に強度低下が生じなくなる。
【００２９】
なお、上記の実施形態では、室内照明灯２１が天井トリム２３に設けられる場合を例に説明したが、本発明に係る室内照明灯は、図１０に示したように、サンバイザ１に設けられるものであっても、上記の効果と同様の効果を奏するものである。
【図面の簡単な説明】
【００３０】
【図１】本発明に係る室内照明灯の第１実施形態を表す断面図である。
【図２】図１に示した室内照明灯の要部拡大図である。
【図３】フィラメント光の色度を表す色度図である。
【図４】本発明に係る室内照明灯の第２実施形態を表す要部拡大図である。
【図５】本発明に係る室内照明灯の第３実施形態を表す要部拡大図である。
【図６】バニティミラーを備えたサンバイザの正面図である。
【図７】室内照明灯が設けられたフロントガラス寄り天井部の断面図である。
【図８】サンバイザの折りたたまれた天井部の断面図である。
【図９】カバーの設けられたサンバイザの正面図である。
【図１０】室内照明灯を付設したサンバイザの斜視図である。
【図１１】自然光（太陽光）の分光分布図である。
【図１２】フィラメント光源からの出射光の分光分布図である。
【符号の説明】
【００３１】
２１  室内照明灯
２３  天井トリム（内装材）
２５  開口
２７  ハウジング
２９、６１  レンズ
２９ａ  出射面
３１  意匠部
３３  バルブ（光源）
３５  機能部
４３  フィラメント
４５  保護部材内装材
４７  自己発光領域
５１  導光板
Ｌ１  発光光
Ｌｂ  青色光
【図１】
2005247144.tif 000003
【図２】
2005247144.tif 000004
【図３】
2005247144.tif 000005
【図４】
2005247144.tif 000006
【図５】
2005247144.tif 000007
【図６】
2005247144.tif 000008
【図７】
2005247144.tif 000009
【図８】
2005247144.tif 000010
【図９】
2005247144.tif 000011
【図１０】
2005247144.tif 000012
【図１１】
2005247144.tif 000013
【図１２】
2005247144.tif 000014